(57)【要約】【課題】  通常の大人用浴槽に、保護者が一緒に入らなくても、乳幼児を安全に入浴させられるようにする。【解決手段】  浴槽底面に載置される後脚部材１，前脚部材２と、座板７は、座板吊り部材８，９により、浴槽内の湯面より低い位置に支持される。そして、座板７の左右両側に配置される肘掛け部材から左右横方向に、伸縮パイプ１２が、長さ調節可能な状態で設けられ、その先端の押圧部材１１が、浴槽内側面に当接されて、当該乳幼児用入浴補助具を固定する。後脚部材１，前脚部材２は、肘掛け部材４，前後脚連結部材５により回動可能に連結することにより、前後方向に折り畳めるようにしている。【選択図】        図１
0003141746.tif 000002
【実用新案登録請求の範囲】
【請求項１】
浴槽底面に載置される脚部と、該脚部により支持され浴槽内の湯面より低い位置に座面を有する着座部と、該着座部の左右両側から左右横方向に長さ調節可能な状態で設けられ、先端部が浴槽内側面に当接されて本体が移動しないように固定する固定部とを備えたことを特徴とする乳幼児用入浴補助具。
【請求項２】
前記脚部は、左右一対の後脚部材と前脚部材とを備え、前記着座部は、前記後脚部材と前脚部材との間に渡して設けた左右の肘掛け部材と、前後左右からベルト状の座板吊り部材で吊り下げられて保持される座板とを備えたことを特徴とする請求項１に記載の乳幼児用入浴補助具。
【請求項３】
前記固定部は、前記肘掛け部材の外側から左右方向に取り付けた固定パイプと、該固定パイプの中でパイプの長さ方向にスライドする伸縮パイプと、該伸縮パイプの先端に設けた押圧部材と、前記固定パイプ側から伸縮パイプを締め付けることにより、固定パイプに対して伸縮パイプを固定可能な締付固定具とを備えたことを特徴とする請求項２に記載の乳幼児用入浴補助具。
【請求項４】
前記固定パイプと伸縮パイプとの間にバネ材を介在させて、前記伸縮パイプを固定パイプの外側に押し出す力を付与したことを特徴とする請求項３に記載の乳幼児用入浴補助具。
【請求項５】
左右それぞれ、後脚部材と前脚部材を、前後脚連結部材と前記肘掛け部材とで回動可能に連結することにより、前後方向に折り畳めるようにしたことを特徴とする請求項２，３又は４に記載の乳幼児用入浴補助具。
【考案の詳細な説明】
【技術分野】
【０００１】
本考案は、通常の大きさの浴槽に、乳幼児を安全に入浴させることができる乳幼児用入浴補助具に関するものである。
【背景技術】
【０００２】
通常の大きさの浴槽に、乳幼児を入浴させることができる乳幼児用入浴補助具としては、従来、浮輪型のものが知られている。それは、縦横５０センチ程度の浮輪の中央部に、両脚を通す二つの孔が設けられたパンツ型シートを設け、それをお湯に浮かべた状態で、上記の孔に乳幼児の両脚を通して座らせるようにしたものである。
【０００３】
このような乳幼児用入浴補助具を用いれば、保護者等が一緒に入らなくても、乳幼児だけを浴槽に入れてその身体を洗ってやることができる。
【０００４】
なお、上記従来の乳幼児用入浴補助具に関連する従来文献としては、例えば、特許文献１がある。
【特許文献１】特開平１１−２８１７０号公報
【考案の開示】
【考案が解決しようとする課題】
【０００５】
しかしながら、上記従来の乳幼児用入浴補助具には、使用中に乳幼児がバランスを崩し、浮輪ごとひっくり返っておぼれるおそれがあるという問題点があった。
【０００６】
本考案は、そのような問題点に鑑み、通常の大人用浴槽に、保護者が一緒に入らなくても、乳幼児を安全に入浴させられるようにすることを目的とするものである。
【課題を解決するための手段】
【０００７】
前記課題を解決するため、本願の請求項１にかかる考案は、浴槽底面に載置される脚部と、該脚部により支持され浴槽内の湯面より低い位置に座面を有する着座部と、該着座部の左右両側から左右横方向に長さ調節可能な状態で設けられ、先端部が浴槽内側面に当接されて本体が移動しないように固定する固定部とを備えたことを特徴とする。
【０００８】
また、本願の請求項２にかかる考案は、請求項１にかかる考案において、前記脚部は、左右一対の後脚部材と前脚部材とを備え、前記着座部は、前記後脚部材と前脚部材との間に渡して設けた左右の肘掛け部材と、前後左右からベルト状の座板吊り部材で吊り下げられて保持される座板とを備えたことを特徴とする。
【０００９】
また、本願の請求項３にかかる考案は、請求項２にかかる考案において、前記固定部は、前記肘掛け部材の外側から左右方向に取り付けた固定パイプと、該固定パイプの中でパイプの長さ方向にスライドする伸縮パイプと、該伸縮パイプの先端に設けた押圧部材と、前記固定パイプ側から伸縮パイプを締め付けることにより、固定パイプに対して伸縮パイプを固定可能な締付固定具とを備えたことを特徴とする。
【００１０】
また、本願の請求項４にかかる考案は、請求項３にかかる考案において、前記固定パイプと伸縮パイプとの間にバネ材を介在させて、前記伸縮パイプを固定パイプの外側に押し出す力を付与したことを特徴とする。
【００１１】
また、本願の請求項５にかかる考案は、請求項２，３又は４にかかる考案において、左右それぞれ、後脚部材と前脚部材を、前後脚連結部材と前記肘掛け部材とで回動可能に連結することにより、前後方向に折り畳めるようにしたことを特徴とする。
【考案の効果】
【００１２】
本考案の乳幼児用入浴補助具は、次のような効果を奏する。
【００１３】
すなわち、請求項１にかかる考案においては、着座部の左右両側から左右横方向に長さ調節可能な状態で設けられ、先端部が浴槽内側面に当接されて本体が移動しないように固定するようにしたので、乳幼児用入浴補助具を浴槽に入れた際に、乳幼児用入浴補助具が転倒したりしないように保持できて、通常の大人用浴槽に、保護者が一緒に入らなくても、乳幼児を安全に入浴させられるようになる。
【００１４】
また、請求項２にかかる考案においては、請求項１にかかる乳幼児用入浴補助具において、着座部は、座板を、前後左右からベルト状の座板吊り部材で吊り下げて保持するようにしたので、前側の座板吊り部材と左右の座板吊り部材との間に乳幼児の脚を入れ、前に突き出させた状態で座板の上に座らせることにより、乳幼児の身体を前後左右の座板吊り部材で安定的に保持できる。
【００１５】
また、請求項３にかかる考案においては、請求項２にかかる乳幼児用入浴補助具において、肘掛け部材の外側から左右方向に固定パイプを取り付け、該固定パイプの中に、先端に押圧部材を設けた伸縮パイプを長さ方向にスライドできるように設け、さらに、締付固定具により、伸縮パイプを固定できるようにした。その結果、乳幼児用入浴補助具を浴槽に入れた際に、伸縮パイプの長さを調節して、押圧部材を浴槽の内側面に当接させた後、締付固定具により固定するだけで、乳幼児用入浴補助具を簡単に固定できる。
【００１６】
また、請求項４にかかる考案においては、請求項３にかかる乳幼児用入浴補助具において、固定パイプと伸縮パイプとの間にバネ材を介在させて、前記伸縮パイプを固定パイプの外側に押し出す力を付与したので、伸縮パイプの先端の押圧部材が浴槽の内側面の方へ自然に押し当てられるため、乳幼児用入浴補助具をより一層簡単に固定できる。
【００１７】
また、請求項５にかかる考案においては、請求項２，３又は４にかかる乳幼児用入浴補助具において、左右それぞれ、後脚部材と前脚部材を、前後脚連結部材と前記肘掛け部材とで回動可能に連結することにより、前後方向に折り畳めるようにしたので、使用しないときの収納が容易になる。
【考案を実施するための最良の形態】
【００１８】
以下、本考案の実施例を図面に基づいて詳細に説明する。
【実施例１】
【００１９】
図１は、本考案の一実施例に係る乳幼児用入浴補助具を示し、図１（イ）は正面図、図１（ロ）は側面図、図１（ハ）は背面図である。図１において、１は後脚部材、２は前脚部材、３は滑り止め部材、４は肘掛け部材、５は前後脚連結部材、６はロックキー、７は座板、８，９は座板吊り部材、１０は背もたれ部材、１１は押圧部材、１２は伸縮パイプ、１３は固定パイプ、１４は締付固定具、１５，１６は左右脚部連結部材である。
【００２０】
後脚部材１と前脚部材２は、肘掛け部材４と前後脚連結部材５により、連結部が回動できるように連結し、ロックキー６，６で連結部の回動をロックできるようにしている。そのような後脚部材１，前脚部材２を左右に配し、それらを左右脚部連結部材１５，１６で連結している。
【００２１】
座板７は、左右の肘掛け部材４，４と前後の左右脚部連結部材１５，１５から座板吊り部材８，９により吊り下げた状態で保持させている。また、背もたれ部材１０は、左右の後脚部材１，１の上部間に差し渡す形で取り付けている。
【００２２】
そして、左右の肘掛け部材４，４の外側には、固定パイプ１３，１３を溶接等の方法を使って左右方向に向けて取り付けており、その内部に、先端に押圧部材１１を取り付けた伸縮パイプ１２をスライドできるように設けている。さらに、固定パイプ１３の先端部に締付固定具１４を設け、固定パイプ１３側から伸縮パイプ１２を締め付けることにより伸縮パイプ１２のスライド位置を固定できるようにしている。また、固定パイプ１３内部にバネ材を介在させて、伸縮パイプ１２を固定パイプ１３の外側に押し出す力を付与するようにしてもよい。
【００２３】
なお、後脚部材１，前脚部材２，肘掛け部材４，前後脚連結部材５，左右脚部連結部材１５，１６等の骨格部材は、例えば、中空ステンレス材の表面にウレタン保護層を施した部材を用いて構成することができる。また、滑り止め部材３と押圧部材１１の材料としては、合成ゴム等、弾力性があって浴槽を傷つけず、滑り止めにもなる材料を用いる。座板７は、硬質の板材の上面にクッション材を被せて構成し、座板吊り部材８，９及び背もたれ部材１０は、耐水性と耐久性を有し、ある程度の柔軟性も有するベルト状布材を用いる。
【００２４】
次に、この乳幼児用入浴補助具の使用方法を説明する。図２は、この乳幼児用入浴補助具を浴槽内に固定した状態を示す図である。符号は、図１のものに対応しており、１７は浴槽である。浴槽１７は、断面で示しており、湯面Ｗの位置までお湯が入っている。そのお湯の中に乳幼児用入浴補助具を入れ、伸縮パイプ１２を、固定パイプ１３内から外側に引き出して、左右両側の押圧部材１１，１１を浴槽１７の内側面に押し当て、締付固定具１４を締め付けることにより、乳幼児用入浴補助具を固定する。その時、座板７は、お湯の中にある。
【００２５】
その際、固定パイプ１３内部にバネ材を介在させて、伸縮パイプ１２を固定パイプ１３の外側に押し出す力を付与するようにしておけば、左右両側の押圧部材１１，１１を浴槽１７の内側面にガタツクことなく押し付けることができる。
【００２６】
そして、前側の座板吊り部材９を挟む形で、乳幼児の両脚を、左右の座板吊り部材８，８と前側の座板吊り部材９の間に入れ、前に突き出させた状態で座板７の上に座らせる。そのようにして座らせると、乳幼児の身体はお湯に浸かった状態になり、そのように座らせたままの状態で身体を洗ってやることができる。
【００２７】
また、締付固定具１４を緩め、伸縮パイプ１２を引っ込めて、押圧部材１１を浴槽１７の内側面から離せば、乳幼児用入浴補助具は、浴槽１７から取り出すことができ、そのまま洗い場において、身体を洗ってやることもできる。
【００２８】
さらに、乳幼児用入浴補助具を使わないときは、ロックキー６を外せば、後脚部材１，前脚部材２と肘掛け部材４及び前後脚連結部材５の連結部は、軸１８で回動できるようになっているので、図３に示すように、折り畳むことができる。そのようにすれば、収納に場所をとらなくなる。
【図面の簡単な説明】
【００２９】
【図１】本考案の一実施例に係る乳幼児用入浴補助具を示す図である。
【図２】図１の乳幼児用入浴補助具を浴槽内に固定した状態を示す図である。
【図３】図１の乳幼児用入浴補助具を折り畳んだ状態を示す図である。
【符号の説明】
【００３０】
１…後脚部材
２…前脚部材
３…滑り止め部材
４…肘掛け部材
５…前後脚連結部材
６…ロックキー
７…座板
８，９…座板吊り部材
１０…背もたれ部材
１１…押圧部材
１２…伸縮パイプ
１３…固定パイプ
１４…締付固定具
１５，１６…左右脚部連結部材
１７…浴槽
【図１】
0003141746.tif 000003
【図２】
0003141746.tif 000004
【図３】
0003141746.tif 000005